(57)【要約】【課題】  出力方法によって出力結果に差が生じることのない画像処理方法を提供する。【解決手段】  画像出力制御装置と、画像出力制御装置とインターフェースを介して接続され、出力制御装置から転送される画像データによって記録媒体に画像を描画して出力する画像出力装置とからなる画像処理システムにおける画像処理方法であって、画像出力制御装置に入力された画像データを最終的に画像出力装置で出力する場合に、原稿サイズが縦方向の画像データを、用紙排出方向が縦方向の画像出力装置に出力する場合と、用紙排出方向が横方向の画像出力装置に出力する場合とで同じ出力結果が得られるよう画像処理する画像処理方法。【選択図】  図３
2005064978.tif 000002
【特許請求の範囲】
【請求項１】
画像出力制御装置と、前記画像出力制御装置とインターフェースを介して接続され、前記画像出力制御装置から転送される画像データによって記録媒体に画像を描画して出力する画像出力装置とからなる画像処理システムにおける画像処理方法であって、
前記画像出力制御装置に入力された画像データを最終的に前記画像出力装置で出力する場合に、原稿サイズが縦方向の画像データを、用紙排出方向が縦方向の画像出力装置に出力する場合と、用紙排出方向が横方向の画像出力装置に出力する場合とで同じ出力結果が得られるよう画像処理することを特徴とする画像処理方法。
【請求項２】
請求項１の画像処理方法において、前記画像出力制御装置に入力された画像データを最終的に前記画像出力装置で出力する場合に、原稿サイズが横方向の画像データを、用紙排出方向が横方向の画像出力装置に出力する場合と、用紙排出方向が縦方向の画像出力装置に出力する場合とで同じ出力結果が得られるよう画像処理することを特徴とする画像処理方法。
【請求項３】
請求項１の画像処理方法において、前記画像出力制御装置に入力された画像データを最終的に前記画像出力装置で出力する場合に、画像データを逆向きに印刷する封筒印刷を行なった場合と、通常の印刷方法で出力した場合とで同じ出力結果が得られるよう画像処理することを特徴とする画像処理方法。
【請求項４】
請求項１の画像処理方法において、前記画像出力制御装置に入力された画像データを最終的に前記画像出力装置で出力する場合に、画像データを左右反転させて印刷するミラー印刷を行なった場合と、通常の印刷方法で出力した場合とで同じ出力結果が得られるよう画像処理することを特徴とする画像処理方法。
【請求項５】
請求項１の画像処理方法において、前記画像出力制御装置に入力された画像データを最終的に前記画像出力装置で出力する場合に、画像データを上下反転させて印刷する場合と、通常の印刷方法で出力した場合とで同じ出力結果が得られるよう画像処理することを特徴とする画像処理方法。
【発明の詳細な説明】
【技術分野】
【０００１】
本発明は、画像データをインターフェースを介して転送し、指定の媒体で出力する際に必要な画像処理方法に関するものである。
【背景技術】
【０００２】
一般に、画像出力制御装置と、画像出力制御装置とインターフェースを介して接続され、出力制御装置から転送される画像データによって記録媒体に画像を描画して出力する画像出力装置とからなる画像処理システムが知られている。
図８は、画像データをインターフェースを介して転送し、最終的に指定媒体に出力するために必要な全ての画像処理のブロック図である。画像処理は大きく３つに分かれており、画像データを回転したり、指定媒体の解像度に合わせるための拡大や縮小などを行なうデータ加工処理、ＰＣのモニター等に表示されている画像データの色味と指定媒体での出力結果の色味を同じにするために行なうカラーマッチング等の色変換処理、プリンタのフレームメモリに最終的に描画する描画処理がある。
データ加工処理の画像回転部は、例えば画像データがＡ４縦のサイズで、出力装置の用紙トレイにＡ４横がセットされている場合には、用紙の方向に画像データを合わせるために、画像データの回転処理を行なう。この場合では画像データを右に９０度回転する。
【０００３】
例えば図２（１）のような元画像（４００ｄｐｉの４×４の画像データ）は、画像回転部で右９０度回転処理され図２（２）のような結果を得る。次にデータ加工処理は、解像度変換部で、画像データをプリンタの解像度に合わせるための解像度変換を行なう。例えば元の画像データが４００ｄｐｉで、プリンタの解像度が６００ｄｐｉの場合は画像データを１．５倍に拡大し、プリンタの解像度が２００ｄｐｉであれば、画像データを０．５倍に縮小する処理を行なう。解像度変換を行なう場合には、変換の際に、どの元画素のデータを使用するのかが重要になるのだが、図２を例にとると、解像度を変換する場合の計算式は一般的には以下のようになる。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
上記の計算結果は、元画像データの各画素が、解像度変換後のデータで使用される範囲を示している。例えば元画像データの画素“１１”はＳｘ＝１、Ｓｙ＝１である。上記の計算結果ではＸ、Ｙ方向とも１．５なので、画素“１１”は変換後のデータの１．５ライン、１．５列目まで使用されるということを示している。但しデジタル画像には小数点以下という単位がないので、小数点以下は切り捨てられ、実際には１ライン、１列目まで使用される。
【０００４】
次に画素“２２”はＳｘ＝２、Ｓｙ＝２なので、画素“２２”は変換後のデータの３ライン、３列目まで使用される。前画素が１ライン目、１列目まで使用されたので、画素“２２”は２〜３ライン目、２〜３列目で使用される。このように計算していくと、解像度変換後は、以下のような元画像のデータを使用したデータになる（図２（３）参照）。
１ライン目：元画像の１ライン目
２ライン目：元画像の２ライン目
３ライン目：元画像の２ライン目
４ライン目：元画像の３ライン目
５ライン目：元画像の４ライン目
６ライン目：元画像の４ライン目
１列目：元画像の１列目
２列目：元画像の２列目
３列目：元画像の２列目
４列目：元画像の３列目
５列目：元画像の４列目
６列目：元画像の４列目
【０００５】
４００ｄｐｉの元画像データから２００ｄｐｉの画像データを生成する場合にも、ＤＷ＝ＤＨ＝２、ＳＷ＝ＳＨ＝４を代入し、同様な計算方法で処理する。
Ｘ方向：
Ｓｘ＝１の場合：１×２÷４＝０．５
Ｓｘ＝２の場合：２×２÷４＝１
Ｓｘ＝３の場合：３×２÷４＝１．５
Ｓｘ＝４の場合：４×２÷４＝２
Ｙ方向：
Ｓｙ＝１の場合：１×２÷４＝０．５
Ｓｙ＝２の場合：２×２÷４＝１
Ｓｙ＝３の場合：３×２÷４＝１．５
Ｓｙ＝４の場合：４×２÷４＝２
Ｓｘ＝Ｓｙ＝１、３の場合は、前画素の計算結果に対し桁上がりしていないので、選択される画素はＳｘ＝Ｓｙ＝２、４となる。このように計算していくと、解像度変換後は、以下のような元画像のデータを使用したデータになる（図２（５）参照）。
１ライン目：元画像の２ライン目
２ライン目：元画像の４ライン目
１列目：元画像の２列目
２列目：元画像の４列目
このように、本来なら同じ重みを持つ画像データの各画素が、解像度変換の際の計算の結果、重みに違いが発生する場合がある。この例では、４００ｄｐｉデータを６００ｄｐｉデータに変換する場合は、奇数ライン、奇数列が１ライン分の重みで、偶数ライン、偶数列が２ライン分の重みになる。２００ｄｐｉでは奇数ライン、奇数列は使用されず、偶数ライン、偶数列は１ライン分の重みになる。
特許文献１には、画像を９０°または９０°のＫ倍迅速に回転させる方法および装置が提供されている。この技術は、回転方向が９０°のみであり、更に整数倍にしか適用できないという問題点がある。
【特許文献１】特開平０６−２３１２３６号公報
【発明の開示】
【発明が解決しようとする課題】
【０００６】
ここで問題になるのは、解像度変換の前に回転処理などが行なわれた場合には、元画像データの配置が変化するので、解像度変換後のデータの輪郭が著しく変わるということである。
例えば、図２（１）の画素“２２”の位置は、右９０度回転すると図２（２）の画素“３２”の位置に変更される。このデータに関して同様な解像度変換を行なった場合には、回転前には偶数ライン、偶数列に位置していた画素が、回転により偶数ライン、奇数列に位置することにより、図２（４）のようにデータの輪郭が変わってしまう。同様に２００ｄｐｉで計算してみると、回転後の配置の変更により図２（６）のような結果となり、回転なしの図２（５）の図形と全く異なる画像となってしまう。
この問題を解決するには、画像の回転処理を解像度変換した後に行なうという方法が考えられるが、現状では、画像データの解像度よりもプリンタ等の出力装置の解像度の方が高い傾向にあるので、解像度変換してデータ量が増大したデータに対し、画像回転処理を行なった場合には、著しく性能が劣化するという問題が発生する。
本発明は、出力方法によって出力結果に差が生じることのない画像処理方法を提供することを目的とする。
【課題を解決するための手段】
【０００７】
上記目的を達成するために、請求項１記載の発明は、画像出力制御装置と、画像出力制御装置とインターフェースを介して接続され、出力制御装置から転送される画像データによって記録媒体に画像を描画して出力する画像出力装置とからなる画像処理システムにおける画像処理方法であって、画像出力制御装置に入力された画像データを最終的に画像出力装置で出力する場合に、原稿サイズが縦方向の画像データを、用紙排出方向が縦方向の画像出力装置に出力する場合と、用紙排出方向が横方向の画像出力装置に出力する場合とで同じ出力結果が得られるよう画像処理する画像処理方法を最も主要な特徴とする。
請求項２記載の発明は、請求項１の画像処理方法において、画像出力制御装置に入力された画像データを最終的に画像出力装置で出力する場合に、原稿サイズが横方向の画像データを、用紙排出方向が横方向の画像出力装置に出力する場合と、用紙排出方向が縦方向の画像出力装置に出力する場合とで同じ出力結果が得られるよう画像処理する画像処理方法を主要な特徴とする。
請求項３記載の発明は、請求項１の画像処理方法において、画像出力制御装置に入力された画像データを最終的に画像出力装置で出力する場合に、画像データを逆向きに印刷する封筒印刷を行なった場合と、通常の印刷方法で出力した場合とで同じ出力結果が得られるよう画像処理する画像処理方法を主要な特徴とする。
請求項４記載の発明は、請求項１の画像処理方法において、画像出力制御装置に入力された画像データを最終的に画像出力装置で出力する場合に、画像データを左右反転させて印刷するミラー印刷を行なった場合と、通常の印刷方法で出力した場合とで同じ出力結果が得られるよう画像処理する画像処理方法を主要な特徴とする。
請求項５記載の発明は、請求項１の画像処理方法において、画像出力制御装置に入力された画像データを最終的に画像出力装置で出力する場合に、画像データを上下反転させて印刷する場合と、通常の印刷方法で出力した場合とで同じ出力結果が得られるよう画像処理する画像処理方法を主要な特徴とする。
【発明の効果】
【０００８】
請求項１によれば、原稿サイズが縦方向の画像データを、用紙排出方向が縦方向の画像出力装置に出力する場合と、用紙排出方向が横方向の画像出力装置に出力する場合とで、出力結果が異なることがなくなり、更に同じ出力結果を得るために、出力に時間が掛かるようになるといったような処理性能の劣化も防ぐことができる。
請求項２によれば、原稿サイズが横方向の画像データを、用紙排出方向が横方向の画像出力装置に出力する場合と、用紙排出方向が縦方向の画像出力装置に出力する場合とで、出力結果が異なることがなくなり、更に同じ出力結果を得るために、出力に時間が掛かるようになるといったような処理性能の劣化も防ぐことができる。
請求項３によれば、画像データを逆向きに印刷する封筒印刷を行なった場合と、通常の印刷方法で出力した場合とで、出力結果が異なることがなくなり、更に同じ出力結果を得るために、出力に時間が掛かるようになるといったような処理性能の劣化も防ぐことができる。
請求項４によれば、画像データを左右反転させて印刷するミラー印刷を行なった場合と、通常の印刷方法で出力した場合とで、出力結果が異なることがなくなり、更に同じ出力結果を得るために、出力に時間が掛かるようになるといったような処理性能の劣化も防ぐことができる。
請求項５によれば、画像データを上下反転させて印刷する場合と、通常の印刷方法で出力した場合とで、出力結果が異なることがなくなり、更に同じ出力結果を得るために、出力に時間が掛かるようになるといったような処理性能の劣化も防ぐことができる。
【発明を実施するための最良の形態】
【０００９】
以下、図面により本発明の実施の形態を詳細に説明する。
図１は、本発明を実施した画像処理システムの概略構成図である。
図１に示すように、この画像処理システムは、画像出力制御装置１と、画像出力制御装置１とインターフェース３を介して接続され、画像出力制御装置１から転送される画像データによって記録媒体に画像を描画して出力する画像出力装置５とからなっている。
以下に、上記画像処理システムにおいて、画像出力制御装置１に入力された画像データを最終的に画像出力装置５で出力する場合のデータ加工処理方法について説明する。
【００１０】
（請求項１記載の発明に対応する第１実施例）
第１実施例を図３を用いて説明する。まず原稿サイズが縦方向の画像データを、用紙排出方向が横方向の画像出力装置に出力する場合には、画像回転部で画像データを右９０度回転しなければならない。
また、図３（１）から解像度変換して図３（３）の結果を得るための計算方法、および図３（１）を右９０度回転して、それから解像度変換して図３（４）の結果を得るための計算方法は、前述した従来の計算方法と同様である。
図３（５）に示す本発明の計算方法に関して説明する。計算式は、以下のように従来の計算式と同様である。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
【００１１】
ここで解像度変換後のデータの元画素の配置を選択する方式を、Ｘ方向に関してのみ、小数点以下切り捨てではなく切り上げで計算する。この場合では、元画像の１列目（Ｓｘ＝１）は、解像度変換後は１．５列分に相当するが、小数点以下は切り上げとなるので２列目まで使用される。元画像の２列目は、前列が２列目まで使用されたので、３列目だけ使用される。このように、解像度変換後のデータの配置は以下のようになる。
１列目：元画像の１列目
２列目：元画像の１列目
３列目：元画像の２列目
４列目：元画像の３列目
５列目：元画像の３列目
６列目：元画像の４列目
１ライン目：元画像の１ライン目
２ライン目：元画像の２ライン目
３ライン目：元画像の２ライン目
４ライン目：元画像の３ライン目
５ライン目：元画像の４ライン目
６ライン目：元画像の４ライン目
このように解像度変換後のデータは図３（５）になり、回転なしの図３（３）データの輪郭と同様な図形になる。
【００１２】
（請求項２記載の発明に対応する第２実施例）
第２実施例を図４を用いて説明する。まず原稿サイズが横方向の画像データを、用紙排出方向が縦方向の画像出力装置に出力する場合には、画像回転部で画像データを左９０度回転しなければならない。
また、図４（１）から解像度変換して図４（３）の結果を得るための計算方法、および図４（１）を左９０度回転して、それから解像度変換して図４（４）の結果を得るための計算方法は、前述の従来の計算方法と同様である。
図４（５）に示す発明の計算方法に関して説明する。計算式は、以下のように従来の計算式と同様である。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
【００１３】
ここで解像度変換後のデータの元画素の配置を選択する方式を、Ｙ方向に関してのみ、小数点以下切り捨てではなく切り上げで計算する。この場合では、元画像の１ライン目（Ｓｙ＝１）は、解像度変換後は１．５ライン分に相当するが、小数点以下は切り上げとなるので２ライン目まで使用される。元画像の２ライン目は、前ラインが２ライン目まで使用されたので、３ライン目だけ使用される。このように、解像度変換後のデータの配置は以下のようになる。
１ライン目：元画像の１ライン目
２ライン目：元画像の１ライン目
３ライン目：元画像の２ライン目
４ライン目：元画像の３ライン目
５ライン目：元画像の３ライン目
６ライン目：元画像の４ライン目
１列目：元画像の１列目
２列目：元画像の２列目
３列目：元画像の２列目
４列目：元画像の３列目
５列目：元画像の４列目
６列目：元画像の４列目
このように解像度変換後のデータは図４（５）になり、回転なしの図４（３）データの輪郭と同様な図形になる。
【００１４】
（請求項３記載の発明に対応する第３実施例）
第３実施例を図５を用いて説明する。まず画像データを逆向きに印刷する封筒印刷を行なった場合には、画像回転部で画像データを１８０度回転しなければならない。
また、図５（１）から解像度変換して図５（３）の結果を得るための計算方法、および図５（１）を１８０度回転して、それから解像度変換して図５（４）の結果を得るための計算方法は、前述した従来の計算方法と同様である。
図５（５）に示す本発明の計算方法に関して説明する。計算式は、以下のように従来の計算式と同様である。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
【００１５】
ここで解像度変換後のデータの元画素の配置を選択する方式を、Ｘ方向とＹ方向の両方向に関して、小数点以下切り捨てではなく切り上げで計算する。計算の結果、解像度変換後のデータの配置は以下のようになる。
１列目：元画像の１列目
２列目：元画像の１列目
３列目：元画像の２列目
４列目：元画像の３列目
５列目：元画像の３列目
６列目：元画像の４列目
１ライン目：元画像の１ライン目
２ライン目：元画像の１ライン目
３ライン目：元画像の２ライン目
４ライン目：元画像の３ライン目
５ライン目：元画像の３ライン目
６ライン目：元画像の４ライン目
このように解像度変換後のデータは図５（５）になり、回転なしの図５（３）データの輪郭と同様な図形になる。
【００１６】
（請求項４記載の発明に対応する第４実施例）
第４実施例を図６を用いて説明する。まず画像データを左右反転させて印刷するミラー印刷を行なう場合には、画像回転部で画像データを左右反転（Ｘ方向に関して逆順）させなければならない。
また、図６（１）から解像度変換して図６（３）の結果を得るための計算方法、および図６（１）を左右反転させて、それから解像度変換して図６（４）の結果を得るための計算方法は、前述した従来の計算方法と同様である。
図６（５）に示す本発明の計算方法に関して説明する。計算式は、以下のように従来の計算式と同様である。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
【００１７】
ここで解像度変換後のデータの元画素の配置を選択する方式を、Ｘ方向に関してのみ、小数点以下切り捨てではなく切り上げで計算する。この場合では、元画像の１列目（Ｓｘ＝１）は、解像度変換後は１．５列分に相当するが、小数点以下は切り上げとなるので２列目まで使用される。元画像の２列目は、前列が２列目まで使用されたので、３列目だけ使用される。このように、解像度変換後のデータの配置は以下のようになる。
１列目：元画像の１列目
２列目：元画像の１列目
３列目：元画像の２列目
４列目：元画像の３列目
５列目：元画像の３列目
６列目：元画像の４列目
１ライン目：元画像の１ライン目
２ライン目：元画像の２ライン目
３ライン目：元画像の２ライン目
４ライン目：元画像の３ライン目
５ライン目：元画像の４ライン目
６ライン目：元画像の４ライン目
このように解像度変換後のデータは図６（５）になり、回転なしの図６（３）データの輪郭と同様な図形になる。
【００１８】
（請求項５記載の発明に対応する第５実施例）
第５実施例を図７を用いて説明する。まず画像データを上下反転させて印刷する場合には、画像回転部で画像データを上下反転（Ｙ方向に関して逆順）させなければならない。
また、図７（１）から解像度変換して図７（３）の結果を得るための計算方法、および図７（１）を上下反転して、それから解像度変換して図７（４）の結果を得るための計算方法は、前述した従来の計算方法と同様である。
図７（５）に示す本発明の計算方法に関して説明する。計算式は、以下のように従来の計算式と同様である。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
【００１９】
ここで解像度変換後のデータの元画素の配置を選択する方式を、Ｙ方向に関してのみ、小数点以下切り捨てではなく切り上げで計算する。この場合では、元画像の１ライン目（Ｓｙ＝１）は、解像度変換後は１．５ライン分に相当するが、小数点以下は切り上げとなるので２ライン目まで使用される。元画像の２ライン目は、前ラインが２ライン目まで使用されたので、３ライン目だけ使用される。このように、解像度変換後のデータの配置は以下のようになる。
１ライン目：元画像の１ライン目
２ライン目：元画像の１ライン目
３ライン目：元画像の２ライン目
４ライン目：元画像の３ライン目
５ライン目：元画像の３ライン目
６ライン目：元画像の４ライン目
１列目：元画像の１列目
２列目：元画像の２列目
３列目：元画像の２列目
４列目：元画像の３列目
５列目：元画像の４列目
６列目：元画像の４列目
このように解像度変換後のデータは図７（５）になり、回転なしの図７（３）データの輪郭と同様な図形になる。
【図面の簡単な説明】
【００２０】
【図１】本発明を実施した画像処理システムの概略構成図である。
【図２】画像回転および解像度変換処理方法を示す図である。
【図３】右９０度回転の場合の解像度変換処理方法を示す図である。
【図４】左９０度回転の場合の解像度変換処理方法を示す図である。
【図５】１８０度回転の場合の解像度変換処理方法を示す図である。
【図６】ミラーの場合の解像度変換処理方法を示す図である。
【図７】上下反転の場合の解像度変換処理方法を示す図である。
【図８】画像処理システムにおける画像処理手順を示す図である。
【図１】
2005064978.tif 000003
【図２】
2005064978.tif 000004
【図３】
2005064978.tif 000005
【図４】
2005064978.tif 000006
【図５】
2005064978.tif 000007
【図６】
2005064978.tif 000008
【図７】
2005064978.tif 000009
【図８】
2005064978.tif 000010